(57)【特許請求の範囲】
【請求項１】
時間を計測する時間計測手段と、特定の処理が行われた際に前記時間計測手段の計測されている時間に基づく時間情報を記憶する時間情報記憶手段と、送信指示指令が与えられる事によって前記時間計測手段により計測されている時間情報と前記時間情報記憶手段に記憶されている時間情報との差を示す時間差情報を送信する送信手段とを備えた第１の電子機器と、
基準信号を計時して現在時刻情報を得る計時手段と、前記第１の電子機器から送信される前記時間差情報を受信する受信手段と、前記受信手段によって受信された時間差情報と前記計時手段によって得られている現在時刻情報とから前記第１の電子機器にて前記特定の処理が行われた時刻を算出する算出手段とを備えた第２の電子機器と
を備えたことを特徴とする電子機器。
【請求項２】
時間を計測する時間計測手段と、特定の処理が行われた際に前記時間計測手段の計測されている時間に基づく時間情報を記憶する時間情報記憶手段と、送信指示指令が与えられることによって前記時間計測手段によって計測されている時間情報ｔ１と前記時間情報記憶手段に記憶されている時間情報ｔ２とを送信する送信手段とを備えた第１の電子機器と、
基準信号を計時して現在時刻情報を得る計時手段と、前記第１の電子機器から送信される前記時間情報ｔ１および時間情報ｔ２を受信する受信手段と、前記受信手段によって受信された時間情報ｔ１および時間情報ｔ２と前記計時手段によって得られている現在時刻情報とから前記第１の電子機器にて前記特定の処理が行われた時刻を算出する算出手段とを備えた第２の電子機器と
を備えたことを特徴とする電子機器。
【請求項３】
基準信号を計時して現在時刻情報Ｔ１を得る第１の計時手段と、特定の処理が行われた際に前記第１の計時手段によって得られる現在時刻情報Ｔ２を記憶する時刻情報記憶手段と、前記第１の計時手段によって計時されている現在時刻情報Ｔ１と前記時刻情報記憶手段に記憶されている現在時刻情報Ｔ２とを送信する送信手段とを備えた第１の電子機器と、
この第１の電子機器から送信される前記現在時刻情報Ｔ１および現在時刻情報Ｔ２を受信する受信手段と、基準信号を計時して現在時刻情報を得る第２の計時手段と、前記受信手段による受信が為された際に前記第２の計時手段によって得られている現在時刻情報と前記受信した現在時刻情報Ｔ１および現在時刻情報Ｔ２とから前記第１の電子機器の前記特定の処理が行われた時刻が前記第２の計時手段によるいつの時刻であったかを演算する演算手段とを備えた第２の電子機器と
を備えたことを特徴とする電子機器。
【請求項４】
第１の電子機器に於いて特定の処理が行われた時刻を第２の電子機器の計時手段で得られる時刻情報で特定するシステムであって、
前記第１の電子機器は、時間を計測する時間計測手段と、前記特定の処理を行うことによって得られる処理情報を記憶する処理情報記憶手段と、前記特定の処理が行われてからの経過時間情報を得る時間計測手段と、処理情報記憶手段に記憶された処理情報および前記経過時間情報を送信する送信手段とを備え、
前記第２の電子機器は、前記第１の電子機器から送信される前記処理情報および経過時間情報を受信する受信手段と、基準信号を計時して現在時刻情報を得る計時手段と、前記受信手段による受信が為された際に前記計時手段によって得られている現在時刻情報と前記受信した経過時間情報とから前記第１の電子機器にて前記特定の処理が為された時刻を特定する特定手段とを備えていることを特徴とする電子機器を用いたシステム。
【請求項５】
前記第１の電子機器は、人体の生体データを測定する測定センサを備え、前記特定の処理は当該測定センサによって生体データを測定する処理であることを特徴とする請求項４記載の電子機器を用いたシステム。
【請求項６】
前記第１の電子機器は、人体の生体データを測定する測定センサを備え、前記特定の処理は当該測定センサによって生体データを測定する処理であることを特徴とする請求項１〜３のいずれかに記載の電子機器。
【請求項７】
患者の生体データを電話回線を介して医療側もしくは医療サービス側のセンターに送るシステムに用いられる電子機器であって、この電子機器は、
時間を計測する時間計測手段と、患者の生体データを測定する生体データ測定手段と、この生体データ測定手段によって測定された患者の生体データを記憶する生体データ記憶手段と、前記生体データ測定手段によって患者の生体データが測定された際の前記時間計測手段の計測されている時間に基づく時間情報を記憶する時間情報記憶手段と、前記時間計測手段によって計測されている時間情報と前記時間情報記憶手段に記憶されている時間情報との差を示す時間差情報および前記生体データ記憶手段に記憶されている生体データを送信する送信手段とを備えた第１の電子機器と、
基準信号を計時して現在時刻情報を得る計時手段と、前記第１の電子機器から送信される前記時間情報を受信する受信手段と、前記受信手段によって受信された時間差情報と、前記計時手段によって得られている現在時刻情報とから前記第１の電子機器の前記生体データ測定手段によって前記生体データの測定が行われた時刻を算出して測定時刻情報を得る算出手段と、この算出手段によって算出された測定時刻情報と前記受信手段によって受信した生体データとを対応させて記憶する時刻及び生体データ記憶手段と、この時刻及び生体データ記憶手段に記憶された時刻および生体データを前記電話回線を介して前記センターに送出する送出手段とを備えた第２の電子機器と
からなることを特徴とする電子機器。
【請求項８】
人体を測定して測定結果を送信する測定装置と、前記測定装置から送信される測定結果を受信し、この測定結果に基づき測定が為された時刻を加えて電話回線を介して医療側もしくは医療サービス側のセンターに送る送信装置とからなる電子機器であって、
前記測定装置は、人体を測定して得た生体データを記憶する生体データ記憶手段と、この生体データ記憶手段に前記生体データが記憶される毎の経過時間データを得る時間計測手段と、前記生体データおよび前記時間計測手段で得られる経過時間データを前記測定結果として送信する送信手段とを具備し、
前記送信装置は、受信した測定結果に含まれる前記経過時間データと、現在時刻を計時する時計回路より得た時刻情報とから前記生体データが前記生体データ記憶手段に記憶された時刻を特定することを特徴とする電子機器。
【発明の詳細な説明】
【０００１】
【発明の属する技術分野】
本発明は、例えば、自宅で測定した血圧や脈拍等の生体データを公衆回線を介して医療機関側へ送出する在宅診療などに用いて好適な電子機器および当該電子機器を用いたシステムに関する。
【０００２】
【従来の技術】
従来より、ファクシミリやページャー等のように、他の電子機器から送出されるデータを受信した際に、受信した時刻を記録するものが知られている。この種の電子機器では、データを送信した時点あるいはデータを受信した時点の時刻を記憶するようになっており、データを送信した時刻を記憶するものの場合には送信側の電子機器に具備される時計回路の時刻出力が、一方、データを受信した時刻を記憶するものの場合には受信側の電子機器に具備される時計回路の時刻出力が用いられるようになっている。
【０００３】
【発明が解決しようとする課題】
ところで、上述したように、データの送受信がなされた時刻ではなく、送信すべきデータを得た時の時刻を記憶して送信するという要望も少なくない。つまり、何等かの処理で得たデータを一旦メモリに蓄積しておき、それを所定時間経過後に送信するような場合、そのデータを得た時刻にも意義がある場合には、送信すべきデータを得た時刻を記憶し、これをデータと共に送信する必要がある。
【０００４】
例えば、患者が自宅で自分の脈拍、血圧あるいは心電図波形等の生体データを測定し、これを電話回線を介して医療機関へ送出する在宅診療では、生体データを測定した時刻を知らせなければ、一体いつのデータであるかが判らず、診断の参考にならない。
また、例えば、通信機能を備えた電子スチルカメラ等で撮影した画像データを送信する場合にあっても、取材時刻を明示したい時などには同様に撮影した時刻を知らせる必要が有る。
【０００５】
このように、”送信すべきデータを得た時点の時刻を記憶して送信する”場合には、送信側に時計回路を備えれば良い訳であるが、そのようにすると、時計回路の時刻が常に正確であることが要求される。
また、受信側にも時計回路が備えられている場合にあっては、送信側と受信側との時刻が一致していることが要求される。したがって、常に上記の要求を満たす為には、送信側と受信側との時刻合わせ、即ち、時刻修正を常に行わなければならないという煩わしさが出てくる。
【０００６】
加えて、上述した在宅診療において、生体データを測定する装置が測定項目毎に別体となる場合、例えば、心電計や脈拍計のように別体の装置でそれぞれ個別に測定して送信する形態では、それぞれの装置間で時刻合わせをしておかなければならず、甚だ面倒な作業が要求されるという弊害もある。
【０００７】
そこで本発明は、このような事情に鑑みてなされたもので、送信側に時刻計時する手段を備えずとも、送信すべきデータを得た時の時刻を記憶して送信することができる電子機器や、送信側に時刻計時する手段を具備した場合でも受信側との面倒な時刻合わせが不要な電子機器および当該電子機器を用いたシステムを提供することを目的としている。
【０００８】
【課題を解決するための手段】
上記目的を達成するため、請求項１に記載の発明では、時間を計測する時間計測手段と、特定の処理が行われた際に前記時間計測手段の計測されている時間に基づく時間情報を記憶する時間情報記憶手段と、送信指示指令が与えられる事によって前記時間計測手段により計測されている時間情報と前記時間情報記憶手段に記憶されている時間情報との差を示す時間差情報を送信する送信手段とを備えた第１の電子機器と、
基準信号を計時して現在時刻情報を得る計時手段と、前記第１の電子機器から送信される前記時間差情報を受信する受信手段と、前記受信手段によって受信された時間差情報と前記計時手段によって得られている現在時刻情報とから前記第１の電子機器にて前記特定の処理が行われた時刻を算出する算出手段とを備えた第２の電子機器とを備えたことを特徴としている。
【０００９】
請求項２に記載の発明では、時間を計測する時間計測手段と、特定の処理が行われた際に前記時間計測手段の計測されている時間に基づく時間情報を記憶する時間情報記憶手段と、送信指示指令が与えられることによって前記時間計測手段によって計測されている時間情報ｔ１と前記時間情報記憶手段に記憶されている時間情報ｔ２とを送信する送信手段とを備えた第１の電子機器と、
基準信号を計時して現在時刻情報を得る計時手段と、前記第１の電子機器から送信される前記時間情報ｔ１および時間情報ｔ２を受信する受信手段と、前記受信手段によって受信された時間情報ｔ１および時間情報ｔ２と前記計時手段によって得られている現在時刻情報とから前記第１の電子機器にて前記特定の処理が行われた時刻を算出する算出手段とを備えた第２の電子機器とを備えたことを特徴としている。
【００１０】
請求項３に記載の発明では、基準信号を計時して現在時刻情報Ｔ１を得る第１の計時手段と、特定の処理が行われた際に前記第１の計時手段によって得られる現在時刻情報Ｔ２を記憶する時刻情報記憶手段と、前記第１の計時手段によって計時されている現在時刻情報Ｔ１と前記時刻情報記憶手段に記憶されている現在時刻情報Ｔ２とを送信する送信手段とを備えた第１の電子機器と、
この第１の電子機器から送信される前記現在時刻情報Ｔ１および現在時刻情報Ｔ２を受信する受信手段と、基準信号を計時して現在時刻情報を得る第２の計時手段と、前記受信手段による受信が為された際に前記第２の計時手段によって得られている現在時刻情報と前記受信した現在時刻情報Ｔ１および現在時刻情報Ｔ２とから前記第１の電子機器の前記特定の処理が行われた時刻が前記第２の計時手段によるいつの時刻であったかを演算する演算手段とを備えた第２の電子機器とを備えたことを特徴としている。
【００１１】
請求項４に記載の発明では、第１の電子機器に於いて特定の処理が行われた時刻を第２の電子機器の計時手段で得られる時刻情報で特定するシステムであって、前記第１の電子機器は、時間を計測する時間計測手段と、前記特定の処理を行うことによって得られる処理情報を記憶する処理情報記憶手段と、前記特定の処理が行われてからの経過時間情報を得る時間計測手段と、処理情報記憶手段に記憶された処理情報および前記経過時間情報を送信する送信手段とを備え、
前記第２の電子機器は、前記第１の電子機器から送信される前記処理情報および経過時間情報を受信する受信手段と、基準信号を計時して現在時刻情報を得る計時手段と、前記受信手段による受信が為された際に前記計時手段によって得られている現在時刻情報と前記受信した経過時間情報とから前記第１の電子機器にて前記特定の処理が為された時刻を特定する特定手段とを備えていることを特徴とする。
【００１２】
上記請求項４に従属する請求項５に記載の発明によれば、前記第１の電子機器は、人体の生体データを測定する測定センサを備え、前記特定の処理は当該測定センサによって生体データを測定する処理であることを特徴とする。
【００１３】
また、前記請求項１〜３のいずれかに従属する請求項６に記載の発明によれば、前記第１の電子機器は、人体の生体データを測定する測定センサを備え、前記特定の処理は当該測定センサによって生体データを測定する処理であることを特徴とする。
【００１４】
請求項７に記載の発明では、患者の生体データを電話回線を介して医療側もしくは医療サービス側のセンターに送るシステムに用いられる電子機器であって、この電子機器は、時間を計測する時間計測手段と、患者の生体データを測定する生体データ測定手段と、この生体データ測定手段によって測定された患者の生体データを記憶する生体データ記憶手段と、前記生体データ測定手段によって患者の生体データが測定された際の前記時間計測手段の計測されている時間に基づく時間情報を記憶する時間情報記憶手段と、前記時間計測手段によって計測されている時間情報と前記時間情報記憶手段に記憶されている時間情報との差を示す時間差情報および前記生体データ記憶手段に記憶されている生体データを送信する送信手段とを備えた第１の電子機器と、
基準信号を計時して現在時刻情報を得る計時手段と、前記第１の電子機器から送信される前記時間情報を受信する受信手段と、前記受信手段によって受信された時間差情報と、前記計時手段によって得られている現在時刻情報とから前記第１の電子機器の前記生体データ測定手段によって前記生体データの測定が行われた時刻を算出して測定時刻情報を得る算出手段と、この算出手段によって算出された測定時刻情報と前記受信手段によって受信した生体データとを対応させて記憶する時刻及び生体データ記憶手段と、この時刻及び生体データ記憶手段に記憶された時刻および生体データを前記電話回線を介して前記センターに送出する送出手段とを備えた第２の電子機器とからなることを特徴とする。
【００１５】
さらに、請求項８に記載の発明では、人体の測定して測定結果を送信する測定装置と、前記測定装置から送信される測定結果を受信し、この測定結果に基づき測定が為された時刻を加えて電話回線を介して医療側もしくは医療サービス側のセンターに送る送信装置とからなる電子機器であって、
前記測定装置は、測定された人体の生体データを記憶する生体データ記憶手段と、この生体データ記憶手段に前記生体データが記憶される毎の経過時間データを得る時間計測手段と、前記生体データおよび前記時間計測手段で得られる経過時間データを前記測定結果として送信する送信手段とを具備し、
前記送信装置は、受信した測定結果に含まれる前記経過時間データと、現在時刻を計時する時計回路より得た時刻情報とから前記生体データが前記生体データ記憶手段に記憶された時刻を特定することを特徴とする。
【００１６】
本発明の第１の態様では、第１の電子機器が時間計測手段により計測されている時間情報と時間情報記憶手段に記憶されている時間情報との差を示す時間差情報を送信し、一方、第２の電子機器が受信した時間差情報と計時手段によって得られている現在時刻情報とから前記第１の電子機器にて特定の処理が行われた時刻を算出する。
つまり、受信側の時刻から時間差情報を差し引いて特定の処理が行われた時刻を得るので、送信側に時刻計時する手段を備えずとも、送信すべきデータを得た時の時刻を記憶して送信することが可能になる。
【００１７】
また、本発明の第２の態様では、第１の電子機器が第１の計時手段によって計時されている現在時刻情報Ｔ１と時刻情報記憶手段に記憶されている現在時刻情報Ｔ２とを送信し、一方、第２の電子機器が第２の計時手段によって得られている現在時刻情報と受信した現在時刻情報Ｔ１および現在時刻情報Ｔ２とから第１の電子機器の特定の処理が行われた時刻が前記第２の計時手段によるいつの時刻であったかを演算する。
つまり、送信側の時刻差（Ｔ１−Ｔ２）を受信側の現在時刻に換算して特定の処理が行われた時刻を得るので、送信側に時刻計時する手段を具備していても、受信側との面倒な時刻合わせが不要になる。
【００１８】
【発明の実施の形態】
本発明による電子機器は、後述する在宅診療システムの他、相手方の送信時刻を受信表示するファクシミリやページャー等の通信機器、あるいはディジタルカメラ等の画像記憶装置などに適用され得る。以下では、本発明による電子機器を用いた在宅診療システムを実施例として図面を参照して説明する。
【００１９】
Ａ．実施例の概略
図１は、本発明の一実施例による在宅診療システムの概略を示すブロック図である。この図において、１は一般公衆回線（電話回線）である。２は一般公衆回線１を介して医療センター３（後述する）に接続される患者宅である。この患者宅２には、患者の血圧、体温、脈拍および心電波形等を測定した一連の生体データと、これら各生体データ毎に対応付けられ、測定時刻を表わす時刻データとを医療センター３側へデータ送信する宅内装置が据え付けられている。なお、この宅内装置の構成については追って詳述する。
【００２０】
医療センター３は、専用回線ＮＴを介して一般公衆回線１と接続されるホストコンピュータ３ａと、このホストコンピュータ３ａに接続される事務用端末３ｂ、医師用端末３ｃおよび電話機３ｄとから構成される。ホストコンピュータ３ａは、一般公衆回線１を介して接続される患者宅２や医療機関４（後述する）とのデータ授受を監視制御するものであり、具体的には患者宅２側からアップロードされる患者の生体データを蓄積する一方、医療機関４側からのダウンロード要求に応じて対応する患者のデータを送出する。
【００２１】
病院あるいは診療所などの医療機関４は、医師用端末４ａおよび電話機４ｂからなり、医師用端末４ａを用いて一般公衆回線１を介してホストコンピュータ３ａにアクセスし、該当する患者のデータをダウンロードして診察する。
或いは、患者宅２側から医療センター３に生体データを送り、医療センター３はその生体データを医療機関４に送って診断させ、医療機関は診断結果、治療方法等を患者宅２及び医療センター３に送る等の対応がなされる。
【００２２】
このような在宅診療システムによれば、医師は患者の生体データを医療センター３の蓄積データを基に時系列的な履歴として扱えるから、オンラインモニタすることなく通常の回診と同じような診療が可能になる。つまり、患者側からみれば、在宅しながらあたかも医師の回診を受けることが可能なり、一方、医師側からみれば、病院内での対面診療の合間に在宅患者を診察することが可能になっている。
【００２３】
Ｂ．宅内装置の構成
次に、患者の生体データを時系列的な履歴として扱えようにしてホストコンピュータ３ａにデータ送信する宅内装置の構成について図２〜図５を参照して説明して行く。
【００２４】
（１）全体構成
まず、図２は患者宅２内に設けられる宅内装置の全体構成を示すブロック図である。この図において、２０は電話機、２１−１〜２１−Ｎはそれぞれ血圧、体温、脈拍および心電波形等を個別に測定する測定装置である。これら測定装置２１−１〜２１−Ｎは、夫々測定した生体データに時間差ＤＴ（後述する）を付加した送信データを生成して無線出力する。
【００２５】
２２は患者端末装置であり、各測定装置２１−１〜２１−Ｎ側からそれぞれ個別に無線出力される送信データを受信し、受信した各測定項目毎の送信データを、時間差ＤＴに基づき時系列の生体データに変換する。つまり、測定がなされた時刻を生体データに付加する。
患者端末装置２２は、こうして時系列的な履歴として扱えるようにした生体データを音声信号に変調した後、一般公衆回線１を介してホストコンピュータ３ａにデータ送出する。
【００２６】
（２）測定装置２１−１〜２１−Ｎの構成
次に、図３を参照して測定装置２１−１〜２１−Ｎの構成について説明する。測定装置２１−１〜２１−Ｎはいずれも図３の２１のごとき構成となっており、夫々相違する点は測定対象に応じたセンサが用いられている点と、測定対象のデータを得るための測定回路が異なる点である。
しかして、図３において、２１ａは各種測定内容に対応したセンサであり、例えば、血圧を測定する血圧計であれば、カフ、圧力センサ、光学センサ等が用いられる。２１ｂは測定回路である。測定回路２１ｂは、センサ２１ａの出力を所定レベルに増幅してノイズ除去等のフィルタリングを施した後、Ａ／Ｄ変換して生体データ（血圧計であれば血圧データ）を出力する。
【００２７】
２１ｃはＣＰＵおよびＲＯＭ等から構成される制御部であり、当該ＲＯＭに記憶される制御プログラムを実行して装置各部を制御する制御部である。この制御部２１ｃは、時間計測するタイマ機能を有しており、上記生体データを取込む毎にその生体データに計測時間（タイマ値）を付加してメモリ（ＲＡＭ）２１ｅに書き込む。なお、このメモリ２１ｅのレジスタ構成については後述する。
【００２８】
２１ｄは電源オンオフキーや測定開始を指示する測定キー等の複数のキースイッチを備える操作キーであり、各キースイッチの操作に応じたキー入力を制御部２１ｃに与える。制御部２１ｃは、このキー入力に応じた処理を実行する。２１ｆは駆動回路であり、制御部２１ｃから供給される表示制御信号に応じてＬＣＤパネル等から構成される表示装置２１ｇを駆動する。２１ｈは制御部２１ｃから出力される送信データを変調してアンテナＡ０から無線送信する送信部である。
【００２９】
ここで言う送信データとは、後述する演算動作により得られる時間差ＤＴを生体データに付加したものである。つまり、最初に測定した生体データを基準とし、順次測定される生体データについてその測定がなされた時間間隔を時間差で表現し、これを生体データに対応付けたものである。
【００３０】
（３）メモリ２１ｅのレジスタ構成
次に、図４を参照して上記メモリ２１ｅのレジスタ構成について説明する。図において、ＭＩＤは血圧、体温あるいは心電波形などの測定項目を表わす識別データがストアされるレジスタである。
尚、メモリ２１ｅに識別データがストアされるレジスタＭＩＤを備えずに、制御部２１ｃの前述したＲＯＭ（図示せず）に識別データを記憶させておいてもよい。
【００３１】
しかして、ＤＲは表示レジスタであり、表示装置２１ｇに液晶表示される各種表示データがストアされる。この表示レジスタＤＲの内容に応じて制御部２１ｃが駆動回路２１ｆに供給する表示制御信号を発生する。Ｆは測定フラグレジスタであり、「１」の場合に測定中を表わし、「０」の場合に測定停止を表わす。Ｌは測定回数レジスタであり、本実施例の場合、６回の測定で一巡するようになっている。この測定回数レジスタの値は、後述するデータレジスタＭ０〜Ｍ５のアドレスを指定するアドレスポインタとしても機能する。
【００３２】
Ｔは時間計測レジスタであり、内部クロックを分周したタイマクロックを順次インクリメントしてなる計測時間（タイマ値）が記憶される。データレジスタＭ０〜Ｍ５には、それぞれ測定された生体データＤ（０）〜Ｄ（５）と、これら生体データＤ（０）〜Ｄ（５）が測定された計測時間（タイマ値）Ｔ（０）〜Ｔ（５）が対応付けられて記憶される。計測時間（タイマ値）Ｔ（０）〜Ｔ（５）は、各生体データＤ（０）〜Ｄ（５）に付加する時間差ＤＴを算出する際に参照される。これらデータレジスタＭ０〜Ｍ５は、６回の測定で一巡し、以後順次オーバライトされるようになっている。
【００３３】
（４）患者端末装置２２の構成
図５は、患者端末装置２２の構成を示すブロック図である。この図において、２２ａは、上述した測定装置２１から無線出力される送信データをアンテナＡ１を介して受信して復調する受信回路であり、復調された送信データは制御部２２ｂに入力される。制御部２２ｂは、ＣＰＵおよびＲＯＭ等から構成され、装置各部の動作を制御するものであり、その動作については追って詳述する。
制御部２２ｂの特徴的な動作としては、上記受信回路２２ａから供給される送信データを生体データおよびその時間差ＤＴとに分け、この時間差ＤＴに基づいて生体データに測定がなされた時刻を算出し、これにより生体データを時系列的な履歴として扱えるようにしたことにある。
【００３４】
２２ｃは電源オンオフキー、受信開始を指示する受信キーおよび送信開始を指示する送信キー等の複数のキースイッチを備える操作キーであり、各キースイッチの操作に応じたキー入力を制御部２２ｂに与える。制御部２２ｂでは、このキー入力に応じた処理を実行する。
２２ｄは制御部２２ｂのワークエリアとして使用されるメモリ（ＲＡＭ）であり、前述した各測定装置２１−１〜２１−Ｎからそれぞれ送信されてくる各測定項目毎の送信データを制御部２２ｂの制御の下に一時記憶したり、この一時記憶した送信データに基づき時系列的な履歴に変換された生体データを保持する。なお、このメモリ２２ｄのレジスタ構成については追って説明する。
【００３５】
２２ｅは駆動回路であり、制御部２２ｂから供給される表示制御信号に応じてＬＣＤパネル等から構成される表示装置２２ｆを駆動する。２２ｇは制御部２２ｂから出力されるデータ、すなわち、測定された時刻が付加された生体データをＦＳＫ変調して一般公衆回線１を介してホストコンピュータ３ａにデータ送出する送信部である。
【００３６】
（５）メモリ２２ｄのレジスタ構成
次に、図６を参照して上記メモリ２２ｄのレジスタ構成について説明する。この図において、ＤＳＰは表示レジスタであり、表示装置２２ｆに液晶表示される各種表示データがストアされる。この表示レジスタＤＳＰの内容に応じて制御部２２ｂが駆動回路２２ｅに供給する表示制御信号を発生する。
【００３７】
Ｊは送受信フラグレジスタであり、「１」の場合に”送信”を表わし、「０」の場合に”受信”を表わす。ＩＤは患者識別レジスタであり、患者毎に付与される識別コードがストアされる。ＴＥＬはデータ送出先となる医療センターの電話番号が記憶されるレジスタである。ＴＭＰは識別一時記憶レジスタであり、受信処理対象としている測定装置２１の識別データがストアされる。
【００３８】
ＴＩＭＥは現在時刻レジスタであり、現在時刻（日付時刻）が計時されて記憶される。Ｅ（０）〜Ｅ（Ｎ）夫々は、前述した測定装置２１−１〜２１−Ｎ夫々に対応して設けられているもので、測定する測定項目（例えば、血圧、体温、脈拍および心電波形等）毎の送信データや、この送信データに基づき測定時刻が特定された時系列の生体データが保持される測定データレジスタエリアである。
【００３９】
各測定データレジスタエリアＥ（０）〜Ｅ（Ｎ）夫々は、１回の受信で送られてくる６本の受信データを記憶する受信データ記憶エリアＮと、この受信データ記憶エリアに記憶された６本のデータの時間差データＤＴを時刻データに変換したデータを１ブロックとして、１０ブロックのデータが記憶可能な記憶エリアＬ０、Ｌ１、・・・Ｌ９と、送信データエリアＳとから構成されるもので、図６には測定データレジスタエリアＥ（０）の詳細な構成のみが示されている。
【００４０】
受信データ記憶エリアＮには、測定装置２１側から送出された送信データ、すなわち、生体データＤ（０）〜Ｄ（５）と、これら生体データＤ（０）〜Ｄ（５）に付与された時間差データＤＴとがそれぞれ格納される６本のレジスタが設けられている。
【００４１】
この受信データ記憶エリアＮに記憶されたデータは時間差データＤＴが後述するごとく時刻データに変換され、最初は記憶エリアＬ０に記憶される。次に、また６本のデータを受信し受信データ記憶エリアＮに記憶されると、同様にしてこのデータは次の記憶エリアである記憶エリアＬ１に記憶される。
この様にして、記憶エリアＬ０〜Ｌ９の全てにデータが記憶されると次の受信データは記憶エリアＬ０から順次オーバーライトされていく。
【００４２】
一方、送信データエリアＳでは、６本の送信データを持つレジスタＳ０〜Ｓ５が設けられている。このレジスタＳ０〜Ｓ５のデータは電話回線を介して医療センター３に送られる。
【００４３】
Ｃ．実施例の動作
次に、上記構成による測定装置２１と患者端末装置２２との間でなされるデータ送受信動作について図７〜図９を参照して説明して行く。
（１）測定装置２１の動作
まず、測定装置２１において電源オンオフキーがオン操作されて電源が投入されると、制御部２１ｃは内部ＲＯＭから所定の制御プログラムを読み出して図７に示す計測ルーチンを実行し、ステップＳＡ１に処理を進める。
【００４４】
ステップＳＡ１では、前述したメモリ２１ｅや装置各部の内部レジスタをゼロクリアしたり、あるいはフラグ設定する等の初期処理を行い、次のステップＳＡ２に処理を進める。なお、制御部２１ｃでは、図７のフローには図示していないがステップＳＡ１完了後、タイマ機能が起動され、例えば、１秒毎にタイマクロックが発生するようになっている。
【００４５】
▲１▼タイマクロックの累算
次に、ステップＳＡ２に処理が進むと、制御部２１ｃは計測タイミング下にあるか否か、すなわち、上記タイマクロックを検出したか否かを判断する。ここで、タイマクロックを検出した時には計測タイミングであると判断してステップＳＡ２の判断結果が「ＹＥＳ」となり、次のステップＳＡ３に処理を進め、メモリ２１ｃの時間計測レジスタＴのタイマ値を１インクリメントして歩進する。そして、この後、制御部２１ｃは上記ステップＳＡ２に処理を戻す。
【００４６】
▲２▼測定処理
さて、上記ステップＳＡ２において、計測タイミングでない時には、判断結果が「ＮＯ」となり、ステップＳＡ４に処理を進める。ステップＳＡ４では、測定開始を指示する測定キーが操作されたか否かを判断する。ここで、例えば、センサ２１ａが患者にセットされている状態下で測定キーがオン操作されると、ステップＳＡ４の判断結果は「ＹＥＳ」となり、ステップＳＡ５に進み、測定／記憶処理が実行される。
【００４７】
すなわち、センサ２１ａによって計測された信号が測定回路２１ｂを経て生体データＤ（０）に変換され、この生体データＤ（０）と、当該データＤ（０）を測定した時の時間計測値（タイマ値）Ｔ（０）とが制御部２１ｃの制御の下にメモリ２１ｅのデータレジスタＭ０（図４参照）にストアされる。
【００４８】
こうして、電源投入後、メモリ２１ｅのデータレジスタＭ０に最初の生体データＤ（０）および時間計測値（タイマ値）Ｔ（０）が格納されると、制御部２１ｃは次のステップＳＡ６に処理を進め、前回データがあるか否かを判断する。この場合、最初の測定なので、判断結果は「ＮＯ」となり、ステップＳＡ７に進む。ステップＳＡ７では、データレジスタＭ０に格納されている時間計測値（タイマ値）Ｔ（０）をクリアして時間差ＤＴをゼロにする。
【００４９】
続いて、ステップＳＡ８では、測定回数レジスタＬの値を１インクリメントして歩進させ、アドレスポインタをデータレジスタＭ１に設定する。次いで、ステップＳＡ９に進むと、制御部２１ｃはデータレジスタＭ０に格納された生体データＤ（０）を表示レジスタＤＲにセットし、表示装置に測定結果を表示させる。この後、制御部２１ｃは再び上述のステップＳＡ２に戻り、計測タイミング下でない時にはステップＳＡ４へ処理を進め、測定キーがオン操作されていれば、ステップＳＡ６を経て次の測定／記憶処理を行う。
【００５０】
そして、例えば数時間後、再び測定キーを操作して測定を行なうとステップＳＡ５の処理を行なった後ステップＳＡ６に進む。この場合最初の測定ではないので、ここでの判断結果が「ＹＥＳ」となり、ステップＳＡ１０に処理を進め、２回目の測定がなされた時点の時間計測値（タイマ値）Ｔ（１）を生体データＤ（１）に対応付けてデータレジスタＭ１にストアする。
これ以後、測定キーが操作される毎に上述した過程が繰り返され、メモリ２１ｅのデータレジスタＭ２〜Ｍ５にそれぞれ生体データＤ（２）と、これに対応する時間計測値（タイマ値）Ｔ（２）〜Ｔ（５）とが順次格納される。
【００５１】
▲３▼送信処理
以上のようにして、メモリ２１ｅに１ブロック分の生体データＤ（０）〜Ｄ（５）および時間計測値（タイマ値）Ｔ（０）〜Ｔ（５）が格納され、１日の終わり等にこれらのデータを患者端末装置２２に送るために送信キーを操作する。
ステップＳＡ１１では、送信処理の開始を指示する送信キーがオン操作されたか否かを判断する。ここで、当該送信キーがオン操作された場合には判断結果が「ＹＥＳ」となり、次のステップＳＡ１２に処理を進める。
【００５２】
ステップＳＡ１２では、時間差演算処理を行う。この時間差演算処理とは、最初の測定がなされた時点を基準に、第２回目の測定から第６回目の測定までの各時間差（時間間隔）を算出する。
具体的には、例えば、時間計測値Ｔ（１）がｔ０、時間計測値Ｔ（２）が（ｔ０＋ｔ１）、時間計測値Ｔ（３）が（ｔ０＋ｔ１＋ｔ２）・・・であったとすると、第２回目の測定における時間差ＤＴ（１）は第１回目が基準だから「ｔ０」となり、第３回目の測定における時間差ＤＴ（２）は（ｔ０＋ｔ１）−ｔ０より「ｔ１」、第４回目の測定における時間差ＤＴ（３）は（ｔ０＋ｔ１＋ｔ２）−（ｔ０＋ｔ１）より「ｔ２」となる。そして、このようにして算出された各時間差ＤＴ（１）〜ＤＴ（５）がそれぞれ時間計測値Ｔ（１）〜Ｔ（５）に替えて書込まれる。
【００５３】
次いで、ステップＳＡ１３に進むと、制御部２１ｃはメモリ２１ｅに格納される識別データＭＩＤ、生体データＤ（０）〜Ｄ（５）およびこれに対応付けられた時間差ＤＴ（０）〜ＤＴ（５）を送信データとして送信部２１ｈに転送し、この送信部２１ｈより患者端末装置２２側へ無線送信する。
この場合、１本目の生体データＤと時間差データＤＴ、２本目の生体データＤと時間差データＤＴ、といったことがわかるように本数データも同時に送信する。
そして、次のステップＳＡ１４では、送信処理が完了した旨を表示装置２１ｇに表示させ、以後、再び前述したステップＳＡ２に処理を戻す。
【００５４】
（２）患者端末装置２２の動作
次に、図８〜図９を参照して患者端末装置２２の動作について説明する。患者端末装置２２において電源オンオフキーがオン操作されて電源が投入されると、制御部２２ｂは内部ＲＯＭから所定の制御プログラムを読み出して図８に示す端末処理ルーチンを実行し、ステップＳＢ１に処理を進める。
ステップＳＢ１では、前述したメモリ２２ｄや装置各部の内部レジスタをゼロクリアしたり、あるいはフラグ設定する等の初期処理を行い、次のステップＳＢ２に処理を進める。
【００５５】
▲１▼受信モード時の動作
ステップＳＢ２に進むと、受信データがあるか否かの判断が行なわれ受信データが存在する時ステップＳＢ３に進む。ステップＳＢ３では、送受信フラグＪが「０」、すなわち、送受信モード切替えキーの操作により受信モードが設定されているかどうかを判断する。ここで、受信モードに設定されていると、判断結果が「ＹＥＳ」となり、次のステップＳＢ４に処理を進める。
ステップＳＢ４の受信処理は図９に示す受信処理ルーチンの如く実行される。
【００５６】
図９の受信処理ルーチンが起動されると、制御部２２ｂはステップＳＣ１に処理を進め、まず受信回路２２ａが受信した測定装置２１側からの送信データを、メモリ２２ｄに一時記憶する。つまり、送信データの内、識別データＭＩＤが識別一時記憶レジスタＴＭＰに、生体データＤ（０）〜Ｄ（５）および時間差ＤＴ（０）〜ＤＴ（５）が、識別データＭＩＤに対応する測定データレジスタエリアＥ（０）〜Ｅ（Ｎ）の受信データ記憶エリアＮ（図６参照）に格納される。
【００５７】
次いで、ステップＳＣ２に進むと、制御部２２ｂは受信データ記憶エリアＮに格納された時間差ＤＴ（０）〜ＤＴ（５）を順次読み出し、これら時間差ＤＴ（０）〜ＤＴ（５）を現在時刻レジスタＴＩＭＥで計時されている現在時刻から差し引き、各生体データＤ（０）〜Ｄ（５）がそれぞれ測定された時刻を特定して受信データ記憶エリアＮに格納された時間差データＤＴに変えて書き換える。
こうして測定時刻が特定された生体データＤ（０）〜Ｄ（５）は、その時刻が付与された形で前述した送信データエリアＳ（図６参照）に転送されストアし直される。
【００５８】
次に、ステップＳＣ３では、データチェック処理を行う。このデータチェック処理とは、送信データエリアＳのエリア内に格納された今回の受信によって測定時刻が特定された生体データＤ（０）〜Ｄ（５）と、以前の受信によって測定時刻が特定され、後述するごとく記憶エリアＬ０〜Ｌ９に格納された生体データ群とを相互比較し、互いに時刻およびデータ値が一致するものであれば、適正なものであると判定するものである。この場合、例えば時刻が一致していたにもかかわらず対応する生体データが異なる時には、今回データが異常である（受信送信処理にミスが有った）と判断し、その旨を表示したり、測定内容を無効にしたりするものである。
【００５９】
即ち、次のステップＳＣ４では、上記データチェック処理により異常のないデータであり、時系列的な履歴として扱うことができる生体データＤ（０）〜Ｄ（５）およびこれに付随する測定時刻であった場合には、これを正規データとして記憶エリアＬ０〜Ｌ９のいずれかに順次記憶させるものである。この後、制御部２２ｂ、は図８の端末処理ルーチンに処理を戻し、ステップＳＢ５に処理を進める。
ステップＳＢ５（図８参照）では、上記受信処理ルーチンの動作によって得られた正規データを表示装置２２ｆに表示する表示処理を行い、以後、制御部２２ｂは再びステップＳＢ２に処理を進める。
【００６０】
▲２▼時刻計時処理
そして、受信データがない場合には、ステップＳＢ２の判断結果は「ＮＯ」となり、制御部２２ｂはステップＳＢ６に処理を進め、計時タイミングであるか否かを判断する。ここで、計時タイミング下であれば、判断結果が「ＹＥＳ」となり、次のステップＳＢ７に進む。ステップＳＢ７では、メモリ２２ｄの現在時刻レジスタＴＩＭＥの内容をインクリメントして、現在の日付および時刻（時分秒）を更新し、これに応じて表示レジスタを更新し、続く、ステップＳＢ５にて現在の日付および時刻を表示装置２２ｆに表示する。
【００６１】
▲３▼送信モード時の動作
上記ステップＳＢ６において、計時タイミングを外れると、ここでの判断結果が「ＮＯ」となり、ステップＳＢ８に進む。
さて、上述した受信処理ルーチンによって得られた各測定項目毎に正規データを医療センター３（図１参照）側へデータ送信すべく送信キーが操作されると、このステップＳＢ８の判断結果が「ＹＥＳ」となり、次のステップＳＢ９に処理を進める。ステップＳＢ９では、送信キーが操作されたか否かを判断するが、この場合、送信キーが操作されるから、判断結果が「ＹＥＳ」となり、ステップＳＢ１０に進む。
なお、送信キー以外のキーが操作された場合には、ステップＳＢ１４に進み、その他のキー処理が実行される。
【００６２】
ステップＳＢ１０では、送信キーの操作に応じて送受信フラグＪを「１」にセットし、続く、ステップＳＢ１１では、送信処理を行う。この送信処理とは、エリアＳのレジスタＳ０〜Ｓ５にストアされた正規データ、すなわち、時系列的な履歴として扱うことができる６本分の生体データＤ（０）〜Ｄ（５）およびこれに付随する測定時刻を、測定項目を識別する識別データや患者を識別するレジスタＩＤの識別コードと共に、医療センター３にデータ送信するものである。
データ送信に際しては、メモリ２２ｄのレジスタＴＥＬに記憶されている医療センター３の電話番号が自動的にオートダイアルされ、所定のプロトコルにて通信を確立させてからアップロードする。
【００６３】
そして、データ送信が完了した時点で、医療センター３側から応答されてくるアップロード完了信号を受けてステップＳＢ１２の送信完了か否かの判断が「ＹＥＳ」となり、ステップＳＢ１３に進む。ステップＳＢ１３では、送受信フラグＪを「０」にセットし、受信モードに設定する。この後、制御部２２ｂはステップＳＢ２に処理を戻し、上述した過程を繰り返す。
【００６４】
このように、上述した実施例によれば、測定装置２１では測定した生体データに時間差ＤＴを付加して無線出力し、患者端末装置２２側では受信した時間差ＤＴに基づき生体データを測定した時刻を特定するので、送信側に時刻計時する手段を備えずとも、送信すべきデータを得た時の時刻を記憶して送信することが可能になる。
【００６５】
尚、本実施例では、送信側で各測定間の時間差を算出して送信する例を述べたが、例えば測定した時のタイマーＴの時間を記憶させておき、送信時のタイマＴの時間と共に送信するようにすれば受信側で時間差を算出し、測定時の時刻を算出して特定する事が出来るものである。
【００６６】
また、本実施例では、受信側において測定時刻を特定する一例を挙げたが、これに代えて、送信側に時刻計時する手段を具備した場合でも受信側との時刻合わせを不要にする態様も考えられる。
すなわち、測定装置２１側から測定した時刻Ｔ２と送信した時刻Ｔ１とを送信し、患者端末装置２２において両者の時刻差（Ｔ１−Ｔ２）を受信側の現在時刻に換算すれば、上述した実施例と同様に、患者の生体データを時系列的な履歴として扱えようにすることができ、しかも測定装置２１側と患者端末装置２２側との時刻合わせが不要になる。
【００６７】
なお、この実施例では、生体データの測定時刻を特定する一例について述べたが、本発明の要旨はこれに限定されず様々な応用が可能である。例えば、ストップウォッチなどのようにタイマ値を記憶する機能を備えているものにおいて、記憶させたタイマ値に基づき何等かの操作がなされた時刻を特定することができる。
この他、ダイブコンピュータ、オリエンテーション用タイマあるいはマラソンタイマ等においても、記憶させたタイマ値の時間差を算出し、タイマ値を記憶させる操作をした時刻を求めることができる。さらに、周知のページャーにおいても同様にして、受信時刻を特定させることが可能になる。
【００６８】
また、セキュリティ分野においても、本発明の要旨を適用できる。その一例としては、防犯カメラを用いて監視する場合、人の侵入を画像の変化から検出し、その時の時刻を特定して画像と共に記憶するシステムが考えられる。
さらに、撮像カメラを備えるインターホンで来訪者を確認するシステムでは、インターホンが操作された時刻と共に、その時に撮像した来訪者の顔画像を記憶するものも考えられる。
【００６９】
加えて、こうしたシステムにおいて、確認の為、記憶回路から読み出した時に、その時のタイマ時刻と、記憶されているタイマ時刻とから画像記憶した時の時刻を特定することもできる。
なお、周知のディジタルカメラにあっても本発明の要旨を適用でき、例えば、撮像した時のタイマ時刻を記憶しておき、撮像した画像をプリントアウトしたり、ディスプレイ表示する時の時刻が分かるようになる。
【００７０】
【発明の効果】
本発明の第１の態様によれば、第１の電子機器が時間計測手段により計測されている時間情報と時間情報記憶手段に記憶されている時間情報との差を示す時間差情報を送信し、一方、第２の電子機器が受信した時間差情報と計時手段によって得られている現在時刻情報とから前記第１の電子機器にて特定の処理が行われた時刻を算出するので、送信側に時刻計時する手段を備えずとも、送信すべきデータを得た時の時刻を記憶して送信することができる。
また、本発明の第２の態様によれば、第１の電子機器が第１の計時手段によって計時されている現在時刻情報Ｔ１と時刻情報記憶手段に記憶されている現在時刻情報Ｔ２とを送信し、一方、第２の電子機器が第２の計時手段によって得られている現在時刻情報と受信した現在時刻情報Ｔ１および現在時刻情報Ｔ２とから第１の電子機器の特定の処理が行われた時刻が前記第２の計時手段によるいつの時刻であったかを演算するので、送信側に時刻計時する手段を具備していても、受信側との時刻合わせを不要にすることができる。
【図面の簡単な説明】
【図１】本発明による一実施例の概略構成を示すブロック図である。
【図２】同実施例における宅内装置の全体構成を示すブロック図である。
【図３】同実施例における測定装置２１の構成を示すブロック図である。
【図４】測定装置２１におけるメモリ２１ｅのレジスタ構成を示す図である。
【図５】患者端末装置２２の構成を示すブロック図である。
【図６】患者端末装置２２におけるメモリ２２ｄのレジスタ構成を示す図である。
【図７】測定装置２１側において実行される計測ルーチンの動作を示すフローチャートである。
【図８】患者端末装置２２側において実行される端末処理ルーチンの動作を示すフローチャートである。
【図９】患者端末装置２２側において実行される受信処理ルーチンの動作を示すフローチャートである。
【符号の説明】
２１  測定装置（第１の電子機器）
２１ｃ  制御部（時間計測手段、送信手段）
２１ｅ  メモリ（時間情報記憶手段、送信手段）
２１ｈ  送信部（送信手段）
２２  患者端末装置（第２の電子機器）
２２ａ  受信回路（受信手段）
２２ｂ  制御部（計時手段、受信手段、算出手段）
２２ｄ  メモリ（受信手段）
【図１】
0003618169.tif 000002
【図２】
0003618169.tif 000003
【図３】
0003618169.tif 000004
【図４】
0003618169.tif 000005
【図５】
0003618169.tif 000006
【図６】
0003618169.tif 000007
【図７】
0003618169.tif 000008
【図８】
0003618169.tif 000009
【図９】
0003618169.tif 000010